(57)【要約】【課題】需要者が自己の関心のある分野に容易に接近することができ、展示者の変更商品情報を該当需要者に直ちに伝達することによって迅速で正確な情報の交換が行われ、競争入札が可能であるように、一つ以上の端末機とサーバーとが連結されて構成され、一人以上の展示者から提供される商品情報を収集して分類及び保存し、一人以上の需要者から提供される関心分野に関する情報を収集して分類及び保存し、分類及び保存された商品情報を所定の形態で展示する展示サイトを運営し、需要者が前記展示サイトに連結して選択したり要請した一つ以上の商品情報をプロファイルに作成して保存し、プロファイルを用いて需要者と展示者の間の情報交換を仲介するインターネット展示サイト運営システムを提供する。【解決手段】展示者の電子メール住所と需要者の電子メール住所をプロファイルに保存し、展示者が新たな商品情報を掲示すれば、これを関心分野に選択した需要者に自動的に電子メールを発送及び／または需要者がログイン時に提供し、需要者が所望の商品情報を要請すればこれを当該展示者に電子メールで発送し、展示者から回答される商品情報を需要者に電子メールで伝達する。【選択図】図１
2004534979.tif 000002
【特許請求の範囲】
【請求項１】
一つ以上の端末機とサーバーとが連結されてなり、
一人以上の展示者から提供される商品情報を収集して分類及び保存し、
一人以上の需要者から提供される関心分野に対する情報を収集して分類及び保存し、
前記分類及び保存された商品情報を所定の形態で展示する展示サイトを運営し、
需要者が前記展示サイトに連結して選択したり要請した一つ以上の商品情報をプロファイルに作成して保存し、
前記プロファイルを利用して需要者と展示者の間の情報交換を仲介する、インターネット展示サイト運営システム。
【請求項２】
前記展示者の電子メール住所と需要者の電子メール住所をプロファイルに保存する、請求項１に記載のインターネット展示サイト運営システム。
【請求項３】
前記展示者が新たな商品情報を掲示したり入力された商品情報を変更すれば、これを関心分野に選択して登録した需要者に自動的に電子メールを発送する、請求項１に記載のインターネット展示サイト運営システム。
【請求項４】
前記展示者が新たな商品情報を掲示したり入力された商品情報を変更した場合に、これを需要者に知らせる過程は、
展示者がインターネットブラウザーを駆動して展示サイトのホームページに接続する段階と、
展示者が自己のＩＤとパスワードを入力してログインする段階と、
展示者が自己の商品情報に関するウェッブデータをアップデートしてサーバーに保存する段階と、
商品情報に対するアップデートを完了した展示者が接続終了命令を入力すれば、展示者のログアウトを遂行する段階と、
ログアウトが行われれば展示サイトへの接続を遮断する段階と、
前記展示者がアップデートしたウェッブデータをサーバーに保存する段階において、保存されればサーバーで展示者の変更されたウェッブデータを検索し、当該項目の変更時に電子メールで通報するように構成された需要者の電子メール住所録を点検して、当該需要者に商品情報が変更されたり新たな商品情報が入力されたことを知らせる電子メールを発送する段階とからなる、請求項３に記載のインターネット展示サイト運営システム。
【請求項５】
前記展示者が新たな商品情報を掲示したり入力された商品情報を変更すれば、これを関心分野に選択して登録した需要者のプロファイルに保存し、需要者のログイン時にシグナル画面で提供する、請求項１に記載のインターネット展示サイト運営システム。
【請求項６】
前記需要者のログイン時にシグナル画面で新たな商品情報や変更された商品情報を提供する過程は、
需要者がインターネットブラウザーを駆動して展示サイトのホームページに接続する段階と、
需要者が自己のＩＤとパスワードを入力してログインする段階と、
ログインする需要者のプロファイルを検索して点検する段階と、
需要者のプロファイルに新たな商品情報または変更された商品情報を知らせるようになっているかどうかを判断する段階と、
前記プロファイルに知らせるようになっているかどうかを判断する段階において、需要者のプロファイルにシグナル内容を知らせる必要がなければ、正常な他の作業を遂行する段階と、
前記プロファイルに知らせるようになっているかどうかを判断する段階において、シグナル内容を知らせる必要があれば、これをシグナル画面で初期画面に示す段階と、
需要者がシグナル画面を削除するための命令を入力したかどうかを判断する段階と、
前記シグナル画面を削除するための命令を入力したか判断する段階において、削除命令が入力されていなければ前記正常な他の作業を遂行する段階に進み、削除命令が入力されていれば需要者のプロファイルを変更して保存した後、前記正常な他の作業を遂行する段階に進む、請求項５に記載のインターネット展示サイト運営システム。
【請求項７】
前記需要者が必要とする商品情報を、展示者を指定せずに商品分野や商品品目だけを指定して要請すれば、これを当該展示者に電子メールで発送し、
展示者から回答される商品情報を需要者に電子メールで伝達する、請求項１に記載のインターネット展示サイト運営システム。
【請求項８】
前記需要者の要請による展示者の回答を伝達する過程は、
需要者がインターネットブラウザーを駆動して展示サイトのホームページに接続する段階と、
需要者が自己のＩＤとパスワードを入力してログインする段階と、
需要者が必要とする商品情報を要請する電子メールを作成する段階と、
作成された電子メールをサーバーに発送する段階と、
サーバーが、保存された展示者の電子メール住所録の中で該当する商品分野を登録した展示者の電子メール住所を検索し、電子メールを発送する段階、
展示者が該当する商品情報及び見積書を回答する段階とからなる、請求項７に記載のインターネット展示サイト運営システム。
【請求項９】
前記需要者のログイン時に示される初期画面の内容を、当該需要者がプロファイルに保存した関心分野に合せて示すようにする、請求項１に記載のインターネット展示サイト運営システム。
【請求項１０】
前記需要者のログイン時に初期画面を示す過程は、
需要者がインターネットブラウザーを駆動して展示サイトのホームページに接続する段階と、
需要者が自己のＩＤとパスワードを入力してログインする段階と、
ログインする需要者のプロファイルを検索して点検する段階と、
需要者のプロファイルにユーザープリファランス値があるかどうかを判断する段階と、
前記ユーザープリファランス値があるかどうかを判断する段階において、ユーザープリファランス値がなければ基本的なウェッブページを初期画面として示す段階と、
需要者が自己だけの定義された初期画面を設定しようと選択したかどうかを判断する段階と、
前記需要者が初期画面を設定しようと選択したかどうかを判断する段階において、需要者が初期画面の定義を選択しなければ需要者が入力する命令に対応して検索などの作業を遂行する段階と、
前記需要者が初期画面を設定しようと選択したかどうかを判断する段階において、需要者が初期画面の定義を選択すれば、初期画面を定義するための作業を案内し遂行する段階と、
前記需要者が初期画面を定義する段階において、定義された初期画面を“ＩＤ．ｈｔｍ”で保存しユーザープリファランス値を１と定義し、新しく定義された初期画面を示す段階と、
需要者が接続を終えるための命令を入力したかどうかを判断する段階と、
前記需要者が接続を終えるための命令を入力したかどうかを判断する段階において、接続終了命令が入力されなければ続けて入力される他の命令を遂行し、接続終了命令が入力されれば需要者のログアウトを遂行する段階と、
ログアウトが行われれば展示サイトの接続を遮断する段階と、
前記ユーザープリファランス値があるかどうかを判断する段階において、ユーザープリファランス値があれば需要者が定義した“ＩＤ．ｈｔｍ”を呼び出して初期画面を示し、前記需要者が初期画面を設定しようと選択したかどうかを判断する段階に進む段階とからなる、請求項９に記載のインターネット展示サイト運営システム。
【請求項１１】
前記需要者のログイン時に示される初期画面が、プロファイルで保存した関心のあるサイトの当該ページにリンクされて現れるようにする、請求項１に記載のインターネット展示サイト運営システム。
【請求項１２】
前記需要者のログイン時にプロファイルに保存されたサイトが初期画面にリンクされて示される過程は、
需要者がインターネットブラウザーを駆動して展示サイトのホームページに接続する段階と、
需要者が自己のＩＤとパスワードを入力してログインする段階と、
ログインする需要者のプロファイルを検索して点検する段階と、
需要者のプロファイルに、ログイン時にリンクサイトに直接接続するためのダイレクトアドレスがあるかどうかを判断する段階と、
前記ダイレクトアドレスがあるかどうかを判断する段階において、ダイレクトアドレスがなければ基本アドレスを初期画面に示す段階と、
需要者のログイン時に示されるダイレクトアドレスを作成または編集するための命令を入力したかどうかを判断する段階と、
前記需要者がダイレクトアドレスを作成または編集するための命令を入力したかどうかを判断する段階において、需要者がダイレクトアドレスの定義を選択していなければ、需要者が入力する命令に対応して検索などの作業を遂行する段階と、
需要者が接続を終えるための命令を入力したかどうかを判断する段階と、
前記需要者が接続を終えるための命令を入力したかどうかを判断する段階において、接続終了命令が入力されなければ続けて入力される他の命令を遂行し、接続終了命令が入力されれば需要者のログアウトを遂行する段階と、
ログアウトが行われれば展示サイトの接続を遮断する段階と、
前記ダイレクトアドレスがあるかどうかを判断する段階において、ダイレクトアドレスがあれば需要者が定義したダイレクトアドレスを初期画面に示し、前記需要者がダイレクトアドレスを作成または編集するための命令を入力したかどうかを判断する段階に進む段階と、
前記需要者がダイレクトアドレスを作成または編集するための命令を入力したかどうかを判断する段階において、需要者がダイレクトアドレス定義を選択すれば、ダイレクトアドレスを定義するための作業を案内し遂行する段階と、
前記ダイレクトアドレスを定義する段階において、定義されたダイレクトアドレスを保存しダイレクトアドレス値を１と定義し、新しく定義されたダイレクトアドレスを示して、前記需要者がダイレクトアドレスを作成または編集するための命令を入力したかどうかを判断する段階に進む段階とからなる、請求項１１に記載のインターネット展示サイト運営システム。
【請求項１３】
前記需要者が商品を購入するために見積を要求すれば、これを当該展示者に電子メールで発送し、
応札する展示者は、決められた時間までに見積書を秘密が維持される状態でサーバーに伝送し、
決められた時間に受付けられた見積書を開封したり、需要者及び応札した展示者に電子メールで発送して、公開競争入札による電子商取引が行われるように構成する、請求項１に記載のインターネット展示サイト運営システム。
【請求項１４】
前記公開競争入札を実施する過程は、
需要者がインターネットブラウザーを駆動して展示サイトのホームページに接続する段階と、
需要者が自己のＩＤとパスワードを入力してログインする段階と、
需要者が競争入札で購入しようとする商品に対する見積書を要請する電子メールを作成し、サーバーに発送する段階と、
サーバーが展示者の電子メール住所録で該当する分野及び種目を登録した展示者に見積書要請の電子メールを発送する段階と、
展示者が電子メールを受信する段階と、
応札しようとする展示者が見積書を作成して暗号化した後、これをサーバーに発送する段階と、
サーバーが見積書を受信して保存する段階と、
サーバーが受信した見積書を購入要請した需要者及び応札した展示者に発送する段階と、
入札締切時間が経過した直後、電子メールサーバーの暗号解読キーを購入要請した需要者及び応札した他の展示者に発送する段階と、
入札締切時間が経過した直後、応札した各展示者が電子メールサーバーに暗号解読キーを発送する段階と、
電子メールサーバーが、受信された応札した各展示者の暗号解読キーを購入要請した需要者及び応札した他の展示者に発送する段階と、
応札した見積書を複号化して最終落札者を確定する段階とからなる、請求項１３に記載のインターネット展示サイト運営システム。
【発明の詳細な説明】
【技術分野】
【０００１】
本発明は、販売商品または開発商品についての情報を提供しようとする会社、団体及び個人（以下、展示者という）の商品情報を収集して階層的構造に展示し、特定商品に関する開発方向や発表商品に関する情報を得ようとする会社、団体及び個人（以下、需要者という）の関心分野についての情報を収集して対応する情報を伝達すると共に、ログイン時に主要関心分野に対する商品情報を初期画面にディスプレイすることができるようにプロファイルを利用して展示サイトを運営するインターネット展示サイト運営システムに関するものである。
【背景技術】
【０００２】
一般に、商品提供者が自己の商品を顧客や関心のある人々に広く知らせるためには、各国や団体で開催する博覧会や展示会などに参加したり、個別的に展示会を開催するなどの方法がある。
最近はコンピュータが広く普及し、通信網が拡充されるに従い、ホームページを製作しインターネットサイトを開設して関連商品を掲示する方法を選択することもある。
【０００３】
また、インターネットを利用するにおいては、電子商取引サイトであるインターネットショッピングモールに自己のブースを用意して、商品を宣伝し販売することもあり、検索サイトに登録することによって自己のホームページを尋ねるように構成することもある。
【０００４】
そして、商品に関する情報を得ようとする需要者は博覧会や展示会を観覧したり、インターネットを利用して当該商品に関する情報を検索する方法を用いる。
【０００５】
しかし、博覧会や展示会を通じて商品情報を提供する場合には展示のための広い空間を必要とし、多くの人員と経費を使って商品を博覧会や展示会が開催される場所まで運送しなければならず、商品の情報を入れた宣伝物を製作し、展示館を設置しなければならないなど、多くの時間と経費がかかる。
【０００６】
同様に需要者も、直接博覧会や展示会が開催される場所まで行かなければならないために時間と経費が多く必要であり（長距離や外国人の場合には経費が大きく増加）、几帳面に見回したりメモしなければ、後で必要な情報を逃したことに気づいて慌てる場合もある。
【０００７】
なお、展示会期間が終わった後に作られた新たな商品に関する情報は、次の展示会期間まで待たねばならない。
【０００８】
また、インターネットに自己のホームページを開設する場合には、サイトの存在を多くの人々に広告して知らせなければならないために莫大な資金が必要であり、需要者の立場でも、類似したサイトが複数存在するために一目瞭然に比較して商品情報を得ることができず、全てのサイトを記憶したりブックマークすることができないため、再びアクセスしたり一々検索する作業が非常に不便である。
【０００９】
そして、インターネットショッピングモールを通じた場合は、販売のための商品の情報提供と今後開発しようとする開発方向とコンセプト商品に関する専門的な情報を提供、収集することは難しい。
【００１０】
また、検索サイトを利用する場合には、検索方法によって得られる情報の偏差が激しく、検索サイトごとに互いに異なる方式で構成されていて紛らわしく、あまりにも多くの類似したサイトが検索される場合にはむしろ一々接近することが不可能である。
【００１１】
従来の方法によれば、需要者が関心のある分野に新たな商品が発表される場合、散在しているオンライン（online）またはオフライン（offline）業者から新たな製品に関する情報を各々得なければならない。
【発明の開示】
【発明が解決しようとする課題】
【００１２】
本発明の目的は前記のような問題点を解決するためのものであって、販売商品または開発商品に関する情報を提供しようとする会社、団体及び個人である展示者の商品情報を収集して階層的構造に展示し、特定商品に関する開発方向や発表商品に関する情報を得ようとする会社、団体及び個人である需要者の関心分野に関する情報を収集して互いに対応する情報を相手方に伝達すると共に、プロファイルを利用して需要者のログイン時に主要関心分野に関する商品情報を初期画面でディスプレイすることができるインターネット展示サイト運営システムを提供することにある。
【課題を解決するための手段】
【００１３】
本発明が提案するインターネット展示サイト運営システムは、一つ以上の端末機（personal computer）とサーバー（server computer）とが連結されて構成され、一人以上の展示者から提供される商品情報を収集して分類及び保存し、一人以上の需要者から提供される関心分野に関する情報を収集して分類及び保存し、前記分類及び保存された商品情報を所定の形態で展示する展示サイトを運営し、需要者が前記展示サイトに連結して選択したり要請した一つ以上の商品情報をプロファイル（profile）に作成して保存し、前記プロファイルを用いて需要者と展示者の間の情報交換を仲介する。
【００１４】
本発明のインターネット展示サイト運営システムは、展示者の電子メール（e-mail）住所と需要者の電子メール住所をプロファイルに保存する。
【００１５】
本発明のインターネット展示サイト運営システムは、展示者が新たな商品情報を掲示すれば、これを関心分野に選択した需要者に自動的に電子メールを発送及び／または需要者がログイン時に提供する。
【００１６】
本発明のインターネット展示サイト運営システムは、需要者が所望の商品情報を要請すればこれを当該展示者に電子メールで発送し、展示者から回答される商品情報を需要者に電子メールで伝達する。
【００１７】
本発明のインターネット展示サイト運営システムは、需要者及び／または展示者のログイン時に現れる初期画面の内容を、当該需要者または展示者がプロファイルに保存した関心分野に合せて示す。
【００１８】
本発明のインターネット展示サイト運営システムは、需要者及び／または展示者のログイン時に現れる初期画面がプロファイルに保存した関心のあるサイトの当該ページにリンクされて示されるようにする。
【００１９】
本発明のインターネット展示サイト運営システムは、需要者が商品を購入するために見積を要求すればこれを当該展示者に電子メールで発送し、応札する展示者は決められた時間までに見積書を秘密の維持される状態でプロファイルに保存し、決められた時間に受付けられた見積書を開封したり需要者及び応札した展示者に電子メールを発送して、公開競争入札による電子商取引が行われるようにする。
【発明の効果】
【００２０】
前記のように構成される本発明によるインターネット展示サイト運営システムによれば、需要者のログイン時に自己が関心のある内容が初期画面に示されるので、複雑な過程を経て探すという不便さが解消される。
【００２１】
また、展示者が変更商品情報及び新たな商品情報、開発しようとする商品情報などを掲示することが容易にできるので、必要に応じて随時に広報することが可能になり、必ず必要とする需要者に商品情報が随時に伝達されるので非常に効率的である。
【００２２】
そして、需要者が１回検索して捜し出したサイト及び商品情報をプロファイルに保存するので、別途に一々ブックマークをして探すことに比べて、非常に便利に再び接近することが可能である。
【００２３】
また、需要者や展示者が該当する電子メールを随時に受けることができるので対応が便利であり、情報の利用効率を極大化することが可能である。
【００２４】
そして、公開競争入札を遂行することが可能になるので、需要者がより安い値段で優れた品質の商品を購入することができる。
【００２５】
また、商品情報を展示する専用サイトとして運営されるので、商品に関する情報だけを専門的に必要とする人々が主に利用し、加入された需要者と展示者の両方が満足するだけの情報の交換が行われることができる。
【発明を実施するための最良の形態】
【００２６】
次に、本発明によるインターネット展示サイト運営システムの好ましい実施例を図面を参照して詳細に説明する。
【００２７】
まず、本発明によるインターネット展示サイト運営システムの一実施例は、図１及び図２に示したように、一つ以上の端末機１、２とサーバー１０、１２、１４、１６とが連結されて構成され、一人以上の展示者３から提供される商品情報を収集して分類及び保存し、一人以上の需要者４から提供される関心分野に対する情報を収集して分類及び保存し、前記分類及び保存された商品情報を所定の形態で展示する展示サイト１８を運営し、需要者４が前記展示サイト１８に連結して選択したり要請した一つ以上の商品情報をプロファイルに作成して保存し、前記プロファイルを用いて需要者４と展示者３の間の情報交換を仲介する。
【００２８】
前記で展示者３は、自分の展示者端末機１を通じて商品情報を提供し、需要者４も同様に自分の需要者端末機２を通じて関心分野に関する情報を提供する。
【００２９】
前記のように提供された商品情報及び関心分野に関する情報は、各々展示者管理サーバー１４及び需要者管理サーバー１６に保存され管理される。
【００３０】
前記で展示者３は必要に応じて需要者４になることができ、需要者４も必要に応じては展示者３になることもできる。
【００３１】
したがって、前記展示者管理サーバー１４及び需要者管理サーバー１６は各々設置して管理することも可能であり、一つにして設置して管理することも可能である。
【００３２】
前記で展示者端末機１及び需要者端末機２とサーバー１０、１２、１４、１６とのネットワーク連結は、ＴＣＰ／ＩＰ、ＬＡＮ、ＡＤＳＬ、ＶＤＳＬ、無線用ＷＡＮ（wireless areanetwork）などを用いて連結する。
【００３３】
前記需要者４は、需要者端末機２を用いて展示サイト１８に接続して会員加入を申請する際、自己のＩＤ及びパスワード、電子メール住所、関心分野、情報を要求する商品の情報などを入力し、需要者管理サーバー１６はこれを需要者プロファイルに作成して保存する。
【００３４】
また、前記需要者４が随時に展示サイト１８に接続して、自己の需要者プロファイルを変更し保存することが可能であるように構成する。
【００３５】
前記需要者プロファイルは、需要者４のＩＤ及びパスワードを用いて管理するように構成する。
【００３６】
前記需要者プロファイルを、需要者管理サーバー１６でない各需要者４の需要者端末機２に保存して管理させることも可能である。
【００３７】
つまり、前記需要者プロファイルを需要者端末機２に保存し、ネットワークを用いて需要者端末機２からウェッブサーバー１０や需要者管理サーバー１６を呼び出すように構成することも可能である。
【００３８】
または、前記需要者プロファイルを需要者端末機２からネットワークを通じてウェッブサーバー１０や需要者管理サーバー１６に伝送して必要な作業を行うように構成することも可能である。
【００３９】
前記のように作成されて保存される需要者プロファイルの内容を図３に示す。
【００４０】
前記需要者プロファイルに含まれる内容は図３に示したように、需要者４のＩＤ、パスワード、電子メール住所、関心分野、ログイン時のウェッブページ、ログイン時のリンクサイト、ログイン時のシグナル内容、所属、部署、職責などである。
【００４１】
前記で、関心分野は、展示サイト１８で運営される階層的構造に合せてコード化して入力するように案内する。
【００４２】
この時、需要者４が職業または趣味などの情報を入力すれば、当該職業または趣味を有する人々の共通的な関心分野を統計分析してこれを基本値（default）として提供するように構成することが、需要者４が容易に需要者プロファイルを作成することができるので好ましい。
【００４３】
また、需要者４が職種と地位または部署を入力すれば、既に登録されていた需要者４の平均値（統計分析して構成した基準値）を提供して、速い時間内に需要者プロファイルの作成を完了するように構成するのが好ましい。
【００４４】
そして、需要者プロファイルは図３に示したように、ログイン時に示される初期画面のウェッブページに対する需要者のＩＤからなるウェッブページファイル名を含む。
【００４５】
つまり、互いに異なる需要者４が展示サイト１８にログインした時に示される初期画面が各々互いに異なるように、ログイン時に示されるウェッブページファイルを作成する。
【００４６】
このようなログイン時に示されるウェッブページファイルの一実施例を図４及び図５に示す。
【００４７】
図４に示したようなウェッブページファイルが基本として与えられる場合、ログイン時に初期画面には、“ｉｔｅｍ１．ｈｔｍ”、“ｉｔｅｍ２．ｈｔｍ”、“ｉｔｅｍ３．ｈｔｍ”などのようないろいろな内容が示される。
【００４８】
しかし、需要者４が“ｉｔｍ３．ｈｔｍ”に対する内容とこれに関する“ｉｔｅｍ３１．ｈｔｍ”の内容にだけ関心がある場合、内容を図５のように修正して“ＩＤ．ｈｔｍ”に保存することができる。
【００４９】
前記のように“ＩＤ．ｈｔｍ”に保存すれば、以後に再び需要者４がログインした時に需要者４が定義したウェッブページファイルが存在するので、基本として与えられるウェッブページファイルでない需要者４が定義した“ＩＤ．ｈｔｍ”ファイルを呼び出して初期画面に示すようになる。
【００５０】
このような作業はＨＴＭＬ構造を図６に示したように、ジャバスクリプト（Java（Ｒ） Script）を用いて構成すれば可能である。
【００５１】
図７には、図６のようなＨＴＭＬ構造に構成して需要者４が定義した“ＩＤ．ｈｔｍ”ファイルをログイン時に初期画面としてウェッブページに示す過程をフローチャートに示す。
【００５２】
つまり、ログイン時の初期画面を示す過程は、需要者４がインターネットブラウザーを駆動して展示サイト１８のホームページに接続する段階（Ｓ１０）、需要者４が自己のＩＤとパスワードを入力してログインする段階（Ｓ１２）、ログインする需要者４のプロファイルを検索して点検する段階（Ｓ１４）、需要者４のプロファイルにユーザープリファランス（userpreference）値があるかどうかを判断する段階（Ｓ１６）、前記段階（Ｓ１６）でユーザープリファランス値がなければ基本として与えられるウェッブページを示す段階（Ｓ１８）、需要者４が自己だけの定義された初期画面を設定しようと選択したかどうかを判断する段階（Ｓ２０）、前記段階（Ｓ２０）で需要者４が初期画面の定義を選択していなければ、需要者４が入力する命令に対応して検索などの作業を遂行する段階（Ｓ２４）、需要者４が接続を終えるための命令を入力したかどうかを判断する段階（Ｓ２６）、前記段階（Ｓ２６）で接続終了命令が入力されていなければ続けて入力される他の命令を遂行し、接続終了命令が入力されれば需要者４のログアウトを遂行する段階（Ｓ２８）、展示サイト１８の接続を遮断する段階（Ｓ３０）からなる。
【００５３】
また、前記段階（Ｓ１６）でユーザープリファランス値があれば、需要者４が定義した“ＩＤ．ｈｔｍ”を呼び出して初期画面を示し、前記段階（Ｓ２０）に進行する段階（Ｓ２２）を含んで構成される。
【００５４】
そして、前記段階（Ｓ２０）で需要者４が初期画面定義を選択すれば、初期画面を定義するための作業を案内し遂行する段階（Ｓ３２）、前記段階（Ｓ３２）で定義された初期画面を“ＩＤ．ｈｔｍ”として保存し、ユーザープリファランス値を１と定義する段階（Ｓ３４）を含んで構成される。
【００５５】
前記段階（Ｓ１４）は、需要者管理サーバー１６に保存した需要者プロファイルに対して検索を遂行するように構成することも可能であり、需要者４の需要者端末機２に保存されたプロファイルを、ログイン時に自動的に需要者管理サーバー１６及び／またはウェッブサーバー１０がネットワークを通じて読み出したり、需要者端末機２から伝送を受けて需要者プロファイルに対する検索を遂行するように構成することも可能である。
【００５６】
そして図面に示してはいないが、前記段階（Ｓ２４）で需要者４が入力する命令に対応して検索などの作業を遂行する途中で需要者４が初期画面の定義を選択すれば、前記段階（Ｓ２０）または段階（Ｓ３２）に進行するように構成することも可能である。
【００５７】
また、需要者プロファイルは図３に示したように、ログイン時に設定したサイトを初期画面にリンクして示すようにログイン時のリンクサイトを含む。
【００５８】
つまり、各需要者４が展示サイト１８にログインした時に、自己が関心のあるサイトに直ちに接続できるようにリンクして、初期画面に示す。
【００５９】
図８には、需要者４が展示サイト１８にログインした時、関心のあるサイトに直ちに接続できるようにリンクして初期画面に示す過程をフローチャートに示す。
【００６０】
まず、需要者４がインターネットブラウザーを駆動して展示サイト１８のホームページに接続する段階（Ｐ１０）、需要者４が自己のＩＤとパスワードを入力してログインする段階（Ｐ１２）、ログインする需要者４のプロファイルを検索して点検する段階（Ｐ１４）、需要者４のプロファイルにログインした時、リンクサイトに直接接続するためのサイト住所（以下、ダイレクトアドレス（directaddress）という）があるかどうかを判断する段階（Ｐ１６）、前記段階（Ｐ１６）でダイレクトアドレスがなければ、基本として与えられるアドレスを初期画面に示す段階（Ｐ１８）、需要者４がログインした時に示されるダイレクトアドレスを作成または編集するための命令を入力したかどうかを判断する段階（Ｐ２０）、前記段階（Ｐ２０）で需要者４がダイレクトアドレスの定義を選択していなければ、需要者４が入力する命令に対応して検索などの作業を遂行する段階（Ｐ２４）、需要者４が接続を終えるための命令を入力したかどうかを判断する段階（Ｐ２６）、前記段階（Ｐ２６）で接続終了命令が入力されなければ続けて入力される他の命令を遂行し、接続終了命令が入力されれば需要者４のログアウトを遂行する段階（Ｐ２８）、展示サイト１８の接続を遮断する段階（Ｐ３０）からなる。
【００６１】
また、前記段階（Ｐ１６）でダイレクトアドレスがあれば、需要者４が定義したダイレクトアドレスを初期画面に示し、前記段階（Ｐ２０）に進む段階（Ｐ２２）を含む。
【００６２】
そして、前記段階（Ｐ２０）で需要者４がダイレクトアドレス定義を選択すれば、ダイレクトアドレスを定義するための作業を案内し遂行する段階（Ｐ３２）、前記段階（Ｐ３２）で定義されたダイレクトアドレスを保存し、ダイレクトアドレス値を１と定義する段階（Ｐ３４）を含む。
【００６３】
前記のように需要者４のプロファイルを構成すれば、需要者４がなんどもクリックしなくても直ちに関心分野のサイトに移動することができるので、非常に便利である。
【００６４】
前記段階（Ｐ１４）においても前記図７の段階（Ｓ１４）と同様に、需要者管理サーバー１６に保存した需要者プロファイルに対して検索を遂行するように構成することも可能であり、需要者４の需要者端末機２に保存されたプロファイルをログイン時に自動的に需要者管理サーバー１６及び／またはウェッブサーバー１０がネットワークを通じて読み出したり、需要者端末機２から伝送を受けて需要者プロファイルに対する検索を遂行するように構成することも可能である。
【００６５】
そして、図面には示していないが、前記段階（Ｐ２４）で需要者４が入力する命令に対応して検索などの作業を遂行する途中で需要者４がダイレクトアドレスの定義を選択すれば、前記段階（Ｐ２０）または段階（Ｐ３２）に進むように構成することも可能である。
【００６６】
また、前記展示者３は前記需要者４と同様に、展示者端末機１を用いて展示サイト１８に接続して会員加入を申請する際、自己のＩＤ及びパスワード、電子メール住所、ホームページ住所、展示しようとする商品情報（種目別に階層化した）などを入力し、展示者管理サーバー１４はこれをプロファイルに作成して保存する。
【００６７】
また、前記展示者３が入力した商品情報は階層的構造に分類されて、展示サイト１８を運営するウェッブサーバー１０がウェッブデータとして保存する。
【００６８】
そして、前記展示者３は随時に展示サイト１８に接続して、自己の展示者プロファイル及びウェッブデータを変更し保存することが可能であるように構成する。
【００６９】
この時、展示者３が作成するウェッブデータは一般的なウェッブファイル形態であるＨＴＭＬ、ＣＳＳ、ジャバスクリプトなどで構成され、ダウンロードファイルは文書ファイルまたはウェッブ形態のファイルで構成される。
【００７０】
前記展示者プロファイルにおいても前記需要者プロファイルと同様に、展示者管理サーバー１４でない各展示者３の展示者端末機１に保存して管理するようにすることも可能である。
【００７１】
つまり、前記展示者プロファイルを展示者端末機１に保存し、ネットワークを用いて展示者端末機１からウェッブサーバー１０や展示者管理サーバー１４に呼び出すように構成することも可能である。
【００７２】
又は、前記展示者プロファイルを、展示者端末機１からネットワークを通じてウェッブサーバー１０や展示者管理サーバー１４に伝送して必要な作業を行うように構成することも可能である。
【００７３】
そして、本発明によるインターネット展示サイト運営システムの一実施例は、図１及び図２に示したように、需要者４の電子メール住所と展示者３の電子メール住所を保存し、需要者４及び／または展示者３が必要とする情報を電子メールで伝送する作業を遂行する電子メールサーバー１２をさらに含む。
【００７４】
前記実施例ではウェッブサーバー１０、電子メールサーバー１２、展示者管理サーバー１４、需要者管理サーバー１６を各々別に設置すると説明したが、一つに統合して管理することも可能であり、必要に応じては幾つか追加的に設置して運営することも可能である。
【００７５】
図９には、展示者３が自己の新たな商品情報を入力したり既存の商品情報を変更した時に、これを関心分野に登録した需要者４に電子メールで発送したり需要者プロファイルに保存する過程をフローチャートに示す。
【００７６】
まず、展示者３がインターネットブラウザーを駆動して展示サイト１８のホームページに接続する段階（Ｔ１０）、展示者３が自己のＩＤとパスワードを入力してログインする段階（Ｔ１２）、展示者３が自己の商品情報に関するウェッブデータをアップデート（update）して展示者管理サーバー１４に保存する段階（Ｔ１４）、商品情報に対するアップデートを完了した展示者３が接続終了命令を入力すれば、展示者３のログアウトを遂行する段階（Ｔ１６）、展示サイト１８の接続を遮断する段階（Ｔ１８）からなる。
【００７７】
また、前記段階（Ｔ１４）で展示者管理サーバー１４及び／またはウェッブサーバー１０から展示者３の変更されたウェッブデータを検索し、これを電子メールサーバー１２に伝送する段階（Ｔ２０）、電子メールサーバー１２が当該項目を関心分野に登録した需要者４に電子メールを発送する段階（Ｔ２２）を含む。
【００７８】
つまり、ウェッブサーバー１０と電子メールサーバー１２は、図１０に示したような過程を経て需要者４に電子メールを発送する。
【００７９】
まず、待機状態（Ｔ４０）で展示者３の商品情報が変更されたという信号が入力されれば（Ｔ４２）、該当事項の変更時に電子メールを通報するように構成された需要者４の電子メール住所録を点検し（Ｔ４４）、当該需要者４に商品情報が変更されたり新たな商品情報が入力されたことを知らせる電子メールを発送する（Ｔ４６）。
【００８０】
前記で電子メールサーバー１２に保存される需要者４の電子メール住所録は、図１１に示したように構成するのが好ましい。
【００８１】
つまり、電子メール住所録は図１１に示したように、商品情報の分野及び種目別にこれを関心分野に登録した需要者４の電子メール住所を集め、一律的に処理することができるように構成する。
【００８２】
そして、前記段階（Ｔ１４）で展示者管理サーバー１４及び／またはウェッブサーバー１０から展示者３の変更されたウェッブデータを検索し、これを需要者管理サーバー１６に伝送する段階（Ｔ２４）、需要者管理サーバー１６は、当該項目を関心分野に登録した需要者４のプロファイルに新たな商品情報または変更された商品情報があることを知らせるように保存する段階（Ｔ２６）を含む。
【００８３】
つまり、ウェッブサーバー１０と需要者管理サーバー１６は図１２に示したような過程を経て、需要者４がログインした時に商品情報の変更を知らせるように構成する。
【００８４】
まず、需要者４がインターネットブラウザーを駆動して展示サイト１８のホームページに接続する段階（Ｔ５０）、需要者４が自己のＩＤとパスワードを入力してログインする段階（Ｔ５２）、ログインする需要者４のプロファイルを検索して点検する段階（Ｔ５４）、需要者４のプロファイルに新たな商品情報または変更された商品情報を知らせるようになっているかどうかを判断する段階（Ｔ５６）、前記段階（Ｔ５６）で、需要者４のプロファイルにシグナル内容がなければ正常な他の作業を遂行する段階（Ｔ５８）、シグナル内容があればこれをシグナル画面で初期画面に示す段階（Ｔ６０）、需要者４がシグナル画面を削除するための命令を入力したかどうかを判断する段階（Ｔ６２）、前記段階（Ｔ６２）で削除命令が入力されなければ前記段階（Ｔ５８）に進行し、削除命令が入力されれば需要者４のプロファイルを変更させて保存し、前記段階（Ｔ５８）に進む段階（Ｔ６４）からなる。
【００８５】
前記段階（Ｔ６２）で多数のシグナル画面がある場合には、需要者４が選択して一部だけを削除することも可能であり、全部削除することも可能であるように構成するのが便利であり好ましい。
【００８６】
前記段階（Ｔ５４）においても前記図７の段階（Ｓ１４）及び図８の段階（Ｐ１４）と同様に、需要者管理サーバー１６に保存した需要者プロファイルに対して検索を遂行するように構成することも可能であり、需要者４の需要者端末機２に保存されたプロファイルをログイン時に自動的に需要者管理サーバー１６及び／またはウェッブサーバー１０がネットワークを通じて読み出したり、需要者端末機２から伝送を受けて需要者プロファイルに対する検索を遂行するように構成することも可能である。
【００８７】
そして、本発明によるインターネット展示サイト運営システムの一実施例は、需要者４が必要とする商品情報の提供者を知らない状態で商品情報の存在を検索しようとする場合や当該商品の見積書を受けようとする場合、これを対応する商品分野を登録した展示者３に電子メールで伝送して、商品情報及び／または見積書を受けることができるように構成する。
【００８８】
つまり、図１３に示したように、需要者４がインターネットブラウザーを駆動して展示サイト１８のホームページに接続する段階（Ｆ１０）、需要者４が自己のＩＤとパスワードを入力してログインする段階（Ｆ１２）、需要者４が必要とする商品情報及び／または見積を要請する電子メールを作成する段階（Ｆ１４）、作成された電子メールをウェッブサーバー１０に発送する段階（Ｆ１６）、ウェッブサーバー１０及び電子メールサーバー１６が、電子メールサーバー１６に保存された展示者住所録で該当する商品分野を登録した展示者３の電子メール住所を検索して電子メールで発送する段階（Ｆ１８）、展示者３が当該する商品情報及び見積書を回答する段階（Ｆ２０）の過程で構成する。
【００８９】
前記で電子メールサーバー１２に保存される展示者３の電子メール住所録は、図１４に示したように構成するのが好ましい。
【００９０】
前記展示者３の電子メール住所録は図１４に示したように、商品情報を提供する分野及び種目別に選択して登録した展示者３の電子メール住所を集め、一律的に処理することができるように構成する。
【００９１】
前記のように構成すれば、需要者４が要請する商品情報の分野及び種目を選択して電子メールを発送することによって、当該分野または種目の電子メールリレクター（E-mailrelector）に電子メールが伝達され、電子メールリレクターに伝達された電子メールは、自動的に対応して登録された全ての展示者４の電子メール住所に発送される。
【００９２】
そして、本発明によるインターネット展示サイト運営システムの一実施例は、需要者４が必要とする商品を競争入札を通じて購入しようとする場合、これを該当展示者３に通報して見積書を秘密が維持された状態で提出するようにし、入札締切時間が経過した直後に見積書を公開して落札されるように構成する。
【００９３】
つまり、図１５に示したように、需要者４がインターネットブラウザーを駆動して展示サイト１８のホームページに接続する段階（Ｌ１０）、需要者４が自己のＩＤとパスワードを入力してログインする段階（Ｌ１２）、需要者４が競争入札で購入しようとする商品に対する見積書を要請する電子メールを作成し、ウェッブサーバー１０に発送する段階（Ｌ１４）、ウェッブサーバー１０及び電子メールサーバー１６が展示者住所録で該当する分野及び種目を登録した展示者３に見積書を要請する電子メールを発送する段階（Ｌ１６）、展示者４が電子メールを受信する段階（Ｌ１８）、応札しようとする展示者４が見積書を作成して暗号化した後、これをウェッブサーバー１０及び／または電子メールサーバー１６に発送する段階（Ｌ２０）、電子メールサーバー１６が見積書を受信して保存する段階（Ｌ２２）、電子メールサーバー１６が受信された見積書を購入要請した需要者４及び応札した他の展示者３に発送する段階（Ｌ２４）、入札締切時間が経過した直後、電子メールサーバー１６の暗号解読キーを購入要請した需要者４及び応札した他の展示者３に発送する段階（Ｌ２６）、入札締切時間が経過した直後、応札した各展示者３が電子メールサーバー１６に暗号解読キーを発送する段階（Ｌ２８）、電子メールサーバー１６は受信された応札した各展示者３の暗号解読キーを購入要請した需要者４及び応札した他の展示者３に発送する段階（Ｌ３０）、応札した見積書を複号化して最終落札者を確定する段階（Ｌ３２）からなる。
【００９４】
前記のような過程によって不特定多数に入札を実施し、公開的に商品を購入するように構成することが可能である。
【００９５】
前記商品情報は製品に対する情報だけでなく、ニュース、天気、スポーツ、芸能、経済、科学、論文、特許など特定分野に対する各種情報を含む意味であり、本発明は特別にその商品情報の内容を限定しない。
【００９６】
また、前記実施例ではサイトの運営を展示サイトに説明したが、本発明はこれに限定されるわけではなく、コミュニティを専門とするサイト、ポータルサイト、ショッピングモールサイト、結婚仲介サイト、検索サイトなどにも本発明による電子メール伝送方式や初期画面駆動方式（ログイン時に自己だけのウェッブページを構成して示す方式、ログイン時に自己所望のサイトに連結して初期画面に示す方式、関心分野の変更された内容を知らせる方式など）を適用することが可能であり、本発明の展示サイトはこれら全ての分野のサイトを包括する。
【００９７】
そして、前記実施例において需要者と展示者は便宜上分けたものに過ぎず、一般にインターネットを利用する際には需要者と展示者の区別が不必要な場合が多く、需要者が展示者にもなり展示者が需要者にもなる場合がほとんどであるので、本発明はこれを特に限定しない。
【００９８】
また、インターネットサイトにおいてはサイトの運営者が展示者を兼ねる場合もあるが、この場合、本発明において展示者が１名である場合に解釈されることができ、これも本発明の実施例の一つである。
【００９９】
前記では本発明によるインターネット展示サイト運営システムの好ましい実施例について説明したが、本発明はこれに限定されるわけではなく、特許請求の範囲と発明の詳細な説明及び添付した図面の範囲内で変形して実施するのが可能であり、これもまた本発明の範囲に属する。
【図面の簡単な説明】
【０１００】
【図１】本発明によるインターネット展示サイト運営システムの一実施例の構成を概略的に示すブロック図である。
【図２】本発明によるインターネット展示サイト運営システムの一実施例におけるネットワーク構成を概略的に示すブロック図である。
【図３】本発明によるインターネット展示サイト運営システムの一実施例において、需要者プロファイルに保存される内容を概略的に説明するために図表化した図である。
【図４】本発明によるインターネット展示サイト運営システムの一実施例において、基本的に与えられる初期画面に対する“ｄｅｆａｕｌｔ．ｈｔｍ”の内容を概略的に示す図である。
【図５】本発明によるインターネット展示サイト運営システムの一実施例において、需要者が定義した初期画面に対する“ＩＤ．ｈｔｍ”の内容を概略的に示す図である。
【図６】本発明によるインターネット展示サイト運営システムの一実施例において、ジャバスクリプトを用いてログイン時の初期画面を需要者が定義した内容に合わせて示すように構成したファイルの構造を示す図である。
【図７】本発明によるインターネット展示サイト運営システムの一実施例において、需要者がログイン時に需要者が定義した初期画面を示す過程を説明するためのフローチャートである。
【図８】本発明によるインターネット展示サイト運営システムの一実施例において、需要者がログイン時に需要者が指定したダイレクトアドレスを初期画面に示す過程を説明するためのフローチャートである。
【図９】本発明によるインターネット展示サイト運営システムの一実施例において、展示者が商品情報を変更する場合、これを需要者に知らせる過程を説明するためのフローチャートである。
【図１０】本発明によるインターネット展示サイト運営システムの一実施例において、展示者が商品情報を変更する場合、これを需要者に電子メールで発送する過程を説明するためのフローチャートである。
【図１１】本発明によるインターネット展示サイト運営システムの一実施例における需要者電子メール住所録を示す図である。
【図１２】本発明によるインターネット展示サイト運営システムの一実施例において、需要者がログイン時に変更または新たな商品情報があることを知らせる過程を説明するためのフローチャートである。
【図１３】本発明によるインターネット展示サイト運営システムの一実施例において、需要者が商品情報を要請する場合、これを該当する展示者に電子メールに発送する過程を説明するためのフローチャートである。
【図１４】本発明によるインターネット展示サイト運営システムの一実施例における展示者電子メール住所録を示す図である。
【図１５】本発明によるインターネット展示サイト運営システムの一実施例において、公開競争入札を施行する過程を説明するためのフローチャートである。
【符号の説明】
【０１０１】
１、２  端末機
３  展示者
４  需要者
１０、１２、１４、１６  サーバー
１８  展示サイト
【図１】
2004534979.tif 000003
【図２】
2004534979.tif 000004
【図３】
2004534979.tif 000005
【図４】
2004534979.tif 000006
【図５】
2004534979.tif 000007
【図６】
2004534979.tif 000008
【図７】
2004534979.tif 000009
【図８】
2004534979.tif 000010
【図９】
2004534979.tif 000011
【図１０】
2004534979.tif 000012
【図１１】
2004534979.tif 000013
【図１２】
2004534979.tif 000014
【図１３】
2004534979.tif 000015
【図１４】
2004534979.tif 000016
【図１５】
2004534979.tif 000017
【国際公開パンフレット】
2004534979.tif 000018
2004534979.tif 000019
2004534979.tif 000020
2004534979.tif 000021
2004534979.tif 000022
2004534979.tif 000023
2004534979.tif 000024
2004534979.tif 000025
2004534979.tif 000026
2004534979.tif 000027
2004534979.tif 000028
2004534979.tif 000029
2004534979.tif 000030
2004534979.tif 000031
2004534979.tif 000032
2004534979.tif 000033
2004534979.tif 000034
2004534979.tif 000035
2004534979.tif 000036
2004534979.tif 000037
2004534979.tif 000038
2004534979.tif 000039
2004534979.tif 000040
2004534979.tif 000041
2004534979.tif 000042
2004534979.tif 000043
2004534979.tif 000044
2004534979.tif 000045
2004534979.tif 000046
2004534979.tif 000047
2004534979.tif 000048
2004534979.tif 000049
2004534979.tif 000050
2004534979.tif 000051
2004534979.tif 000052
2004534979.tif 000053
2004534979.tif 000054
2004534979.tif 000055
2004534979.tif 000056
2004534979.tif 000057
2004534979.tif 000058
2004534979.tif 000059
2004534979.tif 000060
【国際調査報告】
2004534979.tif 000061